(57)【要約】【課題】一方のケースを他方のケースに吊下げ可能に連結する構造を省スペースで且つ組立手順の制約を受けることなく製造でき、さらにはケースの開放時に連結が外れてしまうことがない電子装置の筺体構造を提供する。【解決手段】ホームセキュリティ装置１の筺体を構成するロアケース２は壁面に固定されており、そのロアケース２の開口部４がアッパーケース３により閉鎖される。ロアケース２とアッパーケース３とにおいて互いに対向する側面２ａ，３ａの内側には突起部８及び抜止部９が一体形成されており、突起部８に連結部材１０の孔部１０ａが係止されている。突起部８の頂点には抜止部９が弾性的に当接しており、これにより連結部材１０の抜け止めが図られている。【選択図】図１
2008124201.tif 000002
【特許請求の範囲】
【請求項１】
壁面に固定される第１ケースと、
この第１ケースの開口部を閉鎖する第２ケースと、
この第２ケースが開放された状態で当該第２ケースを前記第１ケースに対して吊下げ状態で連結する連結部材とを備え、
前記第１ケース及び前記第２ケースには、突起部及び抜止部が設けられ、
前記連結部材は、両端に孔部を有した弾性変形可能な薄肉帯状部材からなり、前記孔部が前記突起部に係止された状態で前記抜止部により抜止めされていることを特徴とする電子装置の筺体構造。
【請求項２】
前記突起部及び前記抜止部は、前記連結部材により前記第２ケースが前記第１ケースに吊下げられた状態で、両方のケースにおいて対向する側面内側にそれぞれ設けられていることを特徴とする請求項１記載の電子装置の筺体構造。
【請求項３】
前記抜止部は、前記突起部に弾性的に当接すると共に、前記突起部から離間する方向に弾性変形可能に設けられていることを特徴とする請求項１または２記載の電子装置の筺体構造。
【請求項４】
前記第１ケース及び前記第２ケースは樹脂成型により形成され、
前記突起部及び抜止部は、前記第１ケース及び前記第２ケースと一体形成されていることを特徴とする請求項１ないし３の何れかに記載の電子装置の筺体構造。
【請求項５】
前記連結部材は、樹脂部材をプレス成型して形成されていることを特徴とする請求項１ないし４の何れかに記載の電子装置の筺体構造。
【発明の詳細な説明】
【技術分野】
【０００１】
本発明は、壁面に固定される第１ケースの開口部を第２ケースにより閉鎖する構成の電子装置の筺体構造に関する。
【背景技術】
【０００２】
出願人は、図１１に示すような電子装置を製造している。この電子装置は、壁に固定されるロアケース１０１の開口部１０２をアッパーケース１０３により閉鎖することにより電子装置の筺体を構成するもので、ロアケース１０１に収納された図示しない電子機器とアッパーケース１０３に収納された図示しない電子機器とをケーブルにより接続するようにしている。従って、内部の電子機器を調整するためにアッパーケース１０３をロアケース１０１から取外す場合は、アッパーケース１０３をロアケース１０１から完全に取外すことができないことから、図１２に示すようにロアケース１０１に形成したフック１０４と内カバー１０５の取付用脚部１０６とに紐１０７をそれぞれ引掛けることで、紐１０７によりアッパーケース１０３をロアケース１０１に対して吊下げ可能に連結するようにしている。
【０００３】
尚、従来技術に相当する特許文献が見つからないことから、その記載を省略する。
【発明の開示】
【発明が解決しようとする課題】
【０００４】
しかしながら、上記従来構成のものでは、ロアケース１０１に設けられたフック１０４は比較的大形であることから、その配設スペースを確保する必要がある。また、アッパーケース１０３においては、ロアケース１０１の内カバー１０５の取付け用脚部１０６に紐１０７を引掛けてから内カバー１０５を取付ける必要があり、組立手順に制約を生じる。さらに、ロアケース１０１においては、紐１０７はフック１０４に引掛けられているだけであるので、アッパーケース１０３の開放時に紐１０７が外れてしまう虞がある（図１２中に二点鎖線で示す）。
【０００５】
本発明は上記事情に鑑みてなされたもので、その目的は、一方のケースを他方のケースに吊下げ可能に連結する構造を省スペースで且つ組立手順の制約を受けることなく製造でき、さらにはケースの開放時に連結が外れてしまうことがない電子装置の筺体構造を提供することにある。
【課題を解決するための手段】
【０００６】
請求項１の発明によれば、一方のケースを他方のケースに吊下げ可能に連結するには、連結部材の孔部を突起部に引掛けることにより係止する。この状態では、突起部に係止されている連結部材は、抜止部により抜止めされているので、ケースを開放する際に、連結部材が突起部から抜けてしまうことを防止できる。また、連結部材は薄肉帯状部材であることから、連結部材を係止するための突起部を小形に製作することができ、その配設スペースは小さくて済む。さらに、突起部及び抜止部は他の組立構成から独立してケースに設けられているので、組立手順の制約を受けることがない。
【０００７】
請求項２の発明によれば、突起部及び抜止部はケースの側面内側に設けられているので、ケースに収納される電子機器の配置スペースを削減することなく実施できる。
請求項３の発明によれば、連結部材の孔部を突起部に係止するには、連結部材の端部を突起部と抜止部との間に挿入する。すると、抜止部が突起部から離間する方向に弾性変形して突起部と抜止部との間で間隙が形成されるので、連結部材の端部をさらに奥方に差込むと、連結部材の孔部を突起部に係止することができる。この状態では、抜止部が突起部に弾性的に当接するように復帰しているので、連結部材が突起部から抜けてしまうことを防止できる。
【０００８】
請求項４の発明によれば、突起部及び抜止部をケースと一体に樹脂成型することができるので、突起部及び抜止部を低コストで製作することができる。
請求項５の発明によれば、連結部材を精度よく且つ低コストで生産することができる。
【発明を実施するための最良の形態】
【０００９】
以下、本発明の一実施例について図１ないし図６を参照して説明する。
図２は、ホームセキュリティ装置の筺体を開放した状態で示す概略的な正面図である。この図２において、ホームセキュリティ装置（電子装置に相当）１は、家屋に取付けられた各種センサを監視することにより不審者の侵入、或いは火災の発生などを検知して報知するために設置される。このホームセキュリティ装置１は、図示しない制御装置などの電子機器が収納されたロアケース（第１ケースに相当）２と図示しない操作部或いは表示部などの電子機器が収納されたアッパーケース（第２ケースに相当）３とから構成されており、それぞれの電子機器同士は図示しないケーブルで接続されている。つまり、アッパーケース３に収納された操作部は、アッパーケース３の表面に設けられた図示しないスイッチに対する操作を示す操作信号をロアケース２に設けられた制御装置に出力する。制御装置は、操作信号を処理したり、屋内に設けられた各種センサからの検出信号を処理したりすることにより、アッパーケース３に設けられた表示部の表示を制御したり、ブザーを鳴動したりするようになっている。
【００１０】
ロアケース２は壁面に固定されるもので、アッパーケース３は、ロアケース２の開口部４を閉鎖した状態で固定されるようになっている。アッパーケース３には取付用脚部５が一体形成されており、その取付用脚部５に内カバー６が取付けられている。この内カバー６にも電子機器７が搭載されている。
【００１１】
さて、上述したようにロアケース２に収納された制御装置とアッパーケース３に収納された操作部及び表示部とはケーブルで接続されていることから、例えば制御装置を点検するためにアッパーケース３を開放した場合は、アッパーケース３をロアケース２から完全に取外すのではなく、アッパーケース３をロアケース２に対して連結状態で吊下げるようにしており、その連結構造について説明する。
【００１２】
図１は、開放した状態で示すケース２，３の断面図である。この図１において、ロアケース２とアッパーケース３とにおいて、開放した状態で互いに対向する側面２ａ，３ａの内側には、突起部８及び抜止部９がそれぞれケース２，３と一体形成されている。
図３は突起部８及び抜止部９を示す平面図、図４はそれらの側面図である。これらの図３及び図４において、突起部８は直角三角形状をなしており、その突起部８に対応して抜止部９が形成されている。この抜止部９は、突起部８の奥方部位においてケース２，３から立設して突起部８の先端に弾性的に当接するように湾曲した弾性部９ａと、この弾性部９ａの先端に一体形成された摘み部９ｂとからなる。この抜止部９は、通常においては突起部８に弾性的に当接しており、突起部８から離間する方向に弾性変形可能となっている。
【００１３】
上記形状の突起部８には連結部材１０が係止されている。
図５は、連結部材１０を示す平面図である。この連結部材１０は、例えばポリカーボネートフィルムから形成された弾性を有する薄肉帯状部材からなり、その両端部には矩形状の孔部１０ａが形成されている。このような形状の連結部材１０は、ポリカーボネートフィルムをプレスにより打ち抜き成型することにより精度よく且つ低コストで製作することができる。
【００１４】
このような形状の連結部材１０は薄肉であることから、連結部材１０の孔部１０ａが係止される突起部８の高さは低くてよく、突起部８及び抜止部９を小形に形成することができる。このことは、図３に示すように突起部８及び抜止部９をロアケース２の側面２ａの内側に形成するにしても、ロアケース２に収納される電子機器の配置に何の影響を受けることなく形成できることを意味している。
このような構成により、連結部材１０の孔部１０ａが突起部８に係止された状態では、突起部８は抜止部９により閉鎖された形態となっており、連結部材１０の抜止めが図られている。
【００１５】
上記構成のホームセキュリティ装置１を製造するには、ロアケース２に制御装置などの電子機器を組付けると共に、アッパーケース３に操作部及び表示部などの電子機器を組付けてから、それらの間をケーブルで接続する。
次に、内蓋６を取付用脚部５に取付けてから、内蓋６に電子機器７を搭載する。
次に、連結部材１０の先端を突起部８と抜止部９との間に差込む。すると、図６に示すように連結部材１０の先端が抜止部９を突起部８から離間する方向に押圧するようになるので、抜止部９が弾性変形して突起部８と抜止部９との間に間隙が形成されるようになる。連結部材１０をさらに突起部８の奥方に差込むと、連結部材１０の先端が突起部８と抜止部９との間に形成された間隙を通過し、連結部材１０の先端が突起部８の頂点を通過したところで、図１に示すように連結部材１０の孔部１０ａが突起部８に係止されるようになる。この状態では、抜止部９が元形状に復帰することにより突起部８に弾性的に当接することにより突起部８を閉鎖するようになるので、連結部材１０が突起部８から抜けてしまうことを防止できる。
【００１６】
そして、アッパーケース３をロアケース２に例えばねじ止めして固定することによりホームセキュリティ装置１を組立てることができる。
尚、各ケース２，３の突起部８に連結部材１０を係止してから、各ケース２，３に電子機器を組付けるようにしてもよく、要は連結部材１０を任意の工程で突起部８に係止することが可能となっている。
【００１７】
このようなホームセキュリティ装置１は、ロアケース２を壁面に固定すると共に、屋内に配置された各種センサを接続することにより各種警報機能を発揮することができる。
さて、担当者が例えばホームセキュリティ装置１の制御装置を調整するためにアッパーケース３を開放した場合、アッパーケース３は連結部材１０によりロアケース２に吊下げられた状態となるので、ロアケース２に収納された電子機器とアッパーケース３に収納された電子機器とを接続する図示しないケーブルを取外すことなく制御装置を調整することができる。この場合、連結部材１０は抜止部９により抜止めされた状態で突起部８に係止されているので、アッパーケース３を開放する際に連結部材１０が突起部８から抜けてしまうことを防止できる。
尚、連結部材１０を突起部８から外すには、抜止部９の先端に設けられている摘み部９ｂを持ち上げて突起部８と抜止部９との間に間隙を形成することにより、連結部材１０を突起部８から外すことができる。
【００１８】
このような実施例によれば、ロアケース２及びアッパーケース３に突起部８及び抜止部９を設け、連結部材１０の孔部１０ａを突起部８に係止することにより両方のケース２，３を吊下げ可能に連結するようにしたので、任意の工程で連結部材１０により両方のケース２，３を連結することができる。従って、両方のケースを紐で吊下げ状態で連結する従来例のものに比較して、組立手順の制約を受けることがない。また、連結部材１０は薄肉帯状部材であることから、連結部材１０を係止するための突起部８及び抜止部９は小形でよく省スペースで済む。また、連結部材１０が突起部８に係止された状態では、連結部材１０は抜止部９により抜止めされているので、アッパーケース３を開放する際に、連結部材１０が突起部８から外れてしまうことを防止できる。
【００１９】
さらに、突起部８及び連結部材１０はアッパーケース３が開放された状態で各ケース２，３の対向する側面２ａ，３ａの内側に設けられているので、各ケース２，３に収納される電子機器の配置の影響を受けることなく実施できる。
加えて、突起部８及び抜止部９は各ケース２，３と一体に樹脂成型されているので、突起部８及び抜止部９を製作するためのコストを抑制することができる。同様に、連結部材１０はポリカーボネートフィルムをプレス成型することにより形成されているので、精度よく且つ低コストで生産することができる。
【００２０】
本発明は、上記実施例に限定されることなく、次のように変形または拡張できる。
図７及び図８に示すように突起部１１（上記実施例よりも幅が狭く設定されている）の両側に抜止部１２を形成するようにしてもよい。この抜止部１２は、弾性変形しないと共に、突起部１１の頂点よりも低い位置となるように形成されている。このような構成によれば、連結部材１０が差込まれると、連結部材１０の端部が突起部１１の斜面を滑りながら登り、連結部材１０の両側が抜止部１２の下面に当接した状態では、図７に示すように連結部材１０が湾曲した状態となる。そして、連結部材１０の先端部が突起部１１の頂点を乗越えたところで、図９に示すように連結部材１０の孔部１０ａ（上記実施例よりも幅が狭く設定されている）が突起部１１に係止され、図１０に示すように連結部材１０によりロアケース２とアッパーケース３とを吊下げ可能に連結することができる。
【００２１】
突起部８の形状として、直角三角形状の垂直辺の上端が連結部材１０の差込方向に傾斜するように形成してもよい。このような形状によれば、突起部８による連結部材１０に対する係止能力を高めることができる。
連結部材１０としてはポリカーボネートフィルム以外の樹脂フィルム、或いは金属フィルムを用いるようにしてもよい。
【図面の簡単な説明】
【００２２】
【図１】本発明の一実施例における筺体の縦断側面図
【図２】開放状態で示すホームセキュリティ装置の正面図
【図３】突起部及び抜止部の平面図
【図４】突起部及び抜止部の側面図
【図５】連結部材の平面図
【図６】連結部材の挿入状態で示す図４相当図
【図７】本発明の変形例を示す図３相当図
【図８】図４相当図
【図９】突起部及び抜止部の正面図
【図１０】図１相当図
【図１１】本発明の従来例を示す図２相当図
【図１２】図１相当図
【符号の説明】
【００２３】
図面中、１はホームセキュリティ装置（電子装置）、２はロアケース（第１ケース）、３はアッパーケース（第２ケース）、４は開口部、８は突起部、９は抜止部、１０は連結部材、１０ａは孔部、１１は突起部、１２は抜止部である。
【図１】
2008124201.tif 000003
【図２】
2008124201.tif 000004
【図３】
2008124201.tif 000005
【図４】
2008124201.tif 000006
【図５】
2008124201.tif 000007
【図６】
2008124201.tif 000008
【図７】
2008124201.tif 000009
【図８】
2008124201.tif 000010
【図９】
2008124201.tif 000011
【図１０】
2008124201.tif 000012
【図１１】
2008124201.tif 000013
【図１２】
2008124201.tif 000014